(57)【要約】【課題】防音効果が高く、音漏れを確実に防ぎ小規模で簡便に使用できる油圧ハンマ用防音装置を提供する。【解決手段】それぞれ鋼板製の上面１と下面２と側面３とが一体となるように形成されていて内周部に吸音材が内包されており上面１中央に開口部1aが、下面２中央に開口部が形成された円筒状をなし、上面１の開口部1aから油圧ハンマＸの先端部分Xaが挿入された状態で上面１の開口部1aが油圧ハンマＸの先端部分Xaに固定され、下面２の開口部の径が打設される鋼管杭Ｙの外径より大きく下面２の開口部から鋼管杭Ｙの上端部Yaが摺動自在に挿入されて使用される油圧ハンマ用防音装置に、下面２の下側に固定されている円筒状部2b内に、鋼管杭Ｙの外径より小さい内径を有しその内径側の部位が湾曲されて鋼管杭Ｙの側面Ybに密着するように装着されるドーナッツ円盤状のゴム板材を複数設置する。【選択図】図１
2015224527.tif 000002
【特許請求の範囲】
【請求項１】
それぞれ鋼板製の上面(１)と下面(２)と側面(３)とが一体となるように形成されていて内周部に吸音材(４)が内包されており上面(１)中央に開口部(1a)が、また下面(２)中央に開口部(2a)が形成された円筒状をなし、該上面(１)の開口部(1a)から油圧ハンマ(Ｘ)の先端部分(Xa)が挿入された状態で該上面(１)の開口部(1a)が該油圧ハンマ(Ｘ)の先端部分(Xa)に固定され、該下面(２)の開口部(2a)の径が打設される鋼管杭(Ｙ)の外径より大きく該下面(２)の開口部(2a)から鋼管杭(Ｙ)の上端部(Ya)が摺動自在に挿入されて使用される油圧ハンマ用防音装置であって、
該下面(２)の下側に固定されている円筒状部(2b)内に、該鋼管杭(Ｙ)の外径より小さい内径を有しその内径側の部位が湾曲されて該鋼管杭(Ｙ)の側面(Yb)に密着するように装着されるドーナッツ円盤状のゴム板材(５)が複数設置されていることを特徴とする油圧ハンマ用防音装置。
【請求項２】
円筒状部(2b)内にゴム板材(５)が着脱自在に設置されている請求項１に記載の油圧ハンマ用防音装置。
【請求項３】
円筒状部(2b)の下方に鋼管杭(Ｙ)を覆うように垂下される防音シート(６)が更に設けられている請求項１又は２に記載の油圧ハンマ用防音装置。
【発明の詳細な説明】
【技術分野】
【０００１】
本発明は、鋼管杭を油圧ハンマで打設する際に使用する油圧ハンマ用防音装置に関するものである。
【背景技術】
【０００２】
重量のある比較的大きな構造物（建築物）を設置固定する場合、構造物（建築物）の基礎となる杭を十分な支持力が得られる地層まで打ち込む必要がある。また杭としては、鋼管杭が強度があり長尺のものも容易に製造でき、品質も安定していることから非常によく使用される。
【０００３】
このような鋼管杭の打設作業において、油圧ハンマが使用されるが、油圧ハンマと鋼管杭の衝突により、大きな打撃音が発生するため、施工時における現場周辺への騒音が問題となっている。
【０００４】
このような騒音対策としては、油圧ハンマ全体と鋼管杭の地面から突出している部分とを覆って、外部への騒音を遮断する防音装置もあるが、規模が大きくなり過ぎて多数の鋼管杭を作業効率良く打設していくことができない。
【０００５】
油圧ハンマ全体を覆わない比較的小規模の防音装置としては、クレーンのワイヤロープにより吊り下げて用いられる油圧ハンマの防音装置であって、油圧ハンマの鋼管杭との係合部を収容可能な直径を有し、壁部に吸音材を内蔵する大径円筒管と、中央部に油圧ハンマ又は鋼管杭を挿通可能な直径の開口を有し、壁部に吸音材を内蔵する下蓋及び上蓋とで構成されたカバーと、鋼管杭を挿通可能な直径を有し前記下蓋の開口から所定長さ突出する小径円筒管とを備え、前記大径円筒管と、前記下蓋又は前記上蓋とが相互に固定されることなく吸音材を介して密着し、前記下蓋及び上蓋の各々に、クレーンの補巻きワイヤロープを玉掛けするための吊具が設けられていることを特徴とする油圧ハンマの防音装置がある（例えば、特許文献１参照。）。
【０００６】
この防音装置では、油圧ハンマに対しては全体ではなく打設する先端側を収納する大径円筒管が設けられていて（特許文献１の図１参照。）、比較的小規模な防音装置となっているが、このように油圧ハンマの先端側のみを収納すると、油圧ハンマが鉛直方向に摺動できるように、大径円筒管の開口と油圧ハンマとの間には隙間が必要であり、そのために油圧ハンマ全体を覆う防音装置に比べて、その隙間から大きな音が漏れるという問題がある。
【０００７】
更にこの防音装置では、防音装置自体をクレーンにより吊り下げる必要があり、作業に手間が掛かかるだけでなく、防音装置の位置が安定しないため、作業に支障をきたす場合もある。
【先行技術文献】
【特許文献】
【０００８】
【特許文献１】特開２０１０−１８０６８９号公報
【発明の概要】
【発明が解決しようとする課題】
【０００９】
本発明は前記の問題に鑑み、防音効果が高く、音漏れを確実に防ぎ小規模で簡便に使用できる油圧ハンマ用防音装置を提供することを課題とする。
【課題を解決するための手段】
【００１０】
本発明者らは前記課題を解決すべく鋭意検討を重ねた結果、
それぞれ鋼板製の上面と下面と側面とが一体となるように形成されていて内周部に吸音材が内包されており上面中央に開口部が、また下面中央に開口部が形成された円筒状をなし、該上面の開口部から油圧ハンマの先端部分が挿入された状態で該上面の開口部が該油圧ハンマの先端部分に固定され、該下面の開口部の径が打設される鋼管杭の外径より大きく該下面の開口部から鋼管杭の上端部が摺動自在に挿入されて使用される油圧ハンマ用防音装置を使用すれば、防音装置は油圧ハンマに直接固定されているので、クレーン等で吊り下げる必要がなく、更に防音装置を正確な位置に設置できるので精度の高い施工ができ、また該下面の下側に固定されている円筒状部内に、該鋼管杭の外径より小さい内径を有しその内径側の部位が湾曲されて該鋼管杭の側面に密着するように装着されるドーナッツ円盤状のゴム板材を複数設置すれば、該下面の開口部と該鋼管杭との隙間をゴム板材で塞ぐことによって外部に音が漏れることを防止できるだけでなく、複数のゴム板材を用いることで、ゴム層とゴム板材間の空気層とを設けることで防音効果を向上させることができることを究明して本発明を完成したのである。
【００１１】
即ち本発明は、それぞれ鋼板製の上面と下面と側面とが一体となるように形成されていて内周部に吸音材が内包されており上面中央に開口部が、また下面中央に開口部が形成された円筒状をなし、該上面の開口部から油圧ハンマの先端部分が挿入された状態で該上面の開口部が該油圧ハンマの先端部分に固定され、該下面の開口部の径が打設される鋼管杭の外径より大きく該下面の開口部から鋼管杭の上端部が摺動自在に挿入されて使用される油圧ハンマ用防音装置であって、
該下面の下側に固定されている円筒状部内に、該鋼管杭の外径より小さい内径を有しその内径側の部位が湾曲されて該鋼管杭の側面に密着するように装着されるドーナッツ円盤状のゴム板材が複数設置されていることを特徴とする油圧ハンマ用防音装置である。
【００１２】
また円筒状部内にゴム板材が着脱自在に設置されていれば、ゴム板材が劣化した場合であっても容易に交換ができて好ましく、更に円筒状部の下方に鋼管杭を覆うように垂下される防音シートが更に設けられていれば、筒状の鋼管杭から直接外部に響く騒音を簡便に防ぐことができて好ましいのである。
【発明の効果】
【００１３】
本発明に係る油圧ハンマ用防音装置は、それぞれ鋼板製の上面と下面と側面とが一体となるように形成されていて内周部に吸音材が内包されており上面中央に開口部が、また下面中央に開口部が形成された円筒状をなし、上面の開口部から油圧ハンマの先端部分が挿入された状態で上面の開口部が油圧ハンマの先端部分に固定され、下面の開口部の径が打設される鋼管杭の外径より大きく下面の開口部から鋼管杭の上端部が摺動自在に挿入されて使用される油圧ハンマ用防音装置であって、下面の下側に固定されている円筒状部内に、鋼管杭の外径より小さい内径を有しその内径側の部位が湾曲されて鋼管杭の側面に密着するように装着されるドーナッツ円盤状のゴム板材が複数設置されているから、防音装置は油圧ハンマに直接固定されているので、クレーン等で吊り下げる必要がなく、更に防音装置を正確な位置に設置できるので精度の高い施工ができ、また下面の開口部と鋼管杭との隙間をゴム板材で塞ぐことによって外部に音が漏れることを防止できるだけでなく、複数のゴム板材を用いることで、ゴム層とゴム板材間の空気層とを設けることで防音効果を向上させることができるのである。
【００１４】
また円筒状部内にゴム板材が着脱自在に設置されている態様では、ゴム板材が劣化した場合であっても容易に交換ができて好ましく、円筒状部の下方に鋼管杭を覆うように垂下される防音シートが更に設けられている態様では、筒状の鋼管杭から直接外部に響く騒音を簡便に防ぐことができて好ましいのである。
【図面の簡単な説明】
【００１５】
【図１】本発明に係る油圧ハンマ用防音装置の一実施例を示す側面説明図である。
【図２】図１の油圧ハンマ用防音装置の斜視説明図である。
【図３】図１の油圧ハンマ用防音装置のＡ部拡大断面説明図である。
【図４】本発明に係る油圧ハンマ用防音装置の他の実施例を示す側面説明図である。
【発明を実施するための形態】
【００１６】
以下、図面を用いて本発明に係る油圧ハンマ用防音装置について詳細に説明する。
【００１７】
Ｘは油圧ハンマであり、Ｙは油圧ハンマＸによって打設される鋼管杭である。
【００１８】
１は鋼板製の上面であり、上面１の開口部1aから後述する貫通穴５内に油圧ハンマＸの先端部分Xaが挿入された状態で上面１の開口部1aが油圧ハンマＸの先端部分Xaに固定されている。
【００１９】
２は鋼板製の下面であり、下面２の開口部2aの径は打設される鋼管杭Ｙの外径より大きく下面２の開口部2aから鋼管杭Ｙの上端部Yaが摺動自在に挿入される。
【００２０】
３は鋼板製の側面であり、この側面３は上述の上面１と下面２と一体となるように形成されていて内周部に吸音材４が内包されている。
【００２１】
５は鋼管杭Ｙの外径より小さい内径を有しその内径側の部位が湾曲されて鋼管杭Ｙの側面Ybに密着するように装着されるドーナッツ円盤状のゴム板材であり、下面２の下側に固定されている円筒状部2b内に複数設置されている。そしてこのゴム板材５が円筒状部2b内に着脱自在に設置されている場合には、ゴム板材５が劣化した場合であっても容易に交換ができて好ましいのである。
【００２２】
６は円筒状部2bの下方に鋼管杭Ｙを覆うように垂下される防音シートであり、この防音シート６が更に設けられていれば、筒状の鋼管杭Ｙから直接外部に響く騒音を簡便に防ぐことができて好ましいのである。
【００２３】
このような本発明に係る油圧ハンマ用防音装置を実際に使用するには、先ず鋼板製の上面１の開口部1aを油圧ハンマＸの先端部分Xaに固定することにより、本発明に係る油圧ハンマ用防音装置を油圧ハンマＸに固定すると共に、上面１の開口部1aからの音漏れを確実に防止できるようにするのである。なお油圧ハンマＸへの固定は上面１の溶着が好ましい。
【００２４】
次にこのように上面１を油圧ハンマＸに固定した状態で、下面２の開口部2aから打設する鋼管杭Ｙを挿入して、鋼管杭Ｙの打設を開始できるようにするのである。その際、例えば、油圧ハンマＸの先端部分Xaに段差部を設け先端を先細りにすれば、油圧ハンマＸの先端を鋼管杭Ｙの管内に挿入し、鋼管杭Ｙの上面と油圧ハンマＸの段差部とを当接させることによって鋼管杭Ｙに油圧ハンマＸの打撃力を加えて打設することができるのである。
【００２５】
また鋼管杭Ｙは油圧ハンマＸの打撃力によって徐々に地面へと埋入されていくので、ゴム板材５は内径側の部位が図３の如く上方側に捲れ上がって湾曲した状態で鋼管杭Ｙの側面Ybに密着するのである。
【００２６】
そして、このようなゴム板材５を鋼管杭Ｙの側面Ybに複数当接させることによって、下面２の開口部2aと鋼管杭Ｙとの隙間をゴム板材５で塞いで外部に音が漏れることを防止することができるだけでなく、複数のゴム板材５を用いることで、ゴム板材５とゴム板材５との間に空気層が形成されるので、音の伝搬速度等の異なる各層を通してから音を外部に伝えるため、音量等が低減され高い遮音効果が得られるのである。
【００２７】
なおこのようなゴム板材５は、鋼管杭Ｙの打設作業を繰り返すと、劣化しやすいため、交換が必要となる。
【００２８】
そのため下面２の円筒状部2b内にゴム板材５が着脱自在に設置されていれば、ゴム板材５の交換が容易にできて作業性が向上して好ましいのである。
【００２９】
また鋼管杭Ｙは、油圧ハンマＸによって打撃力を受ける上端部からの騒音だけでなく、鋼管杭Ｙは筒状で鋼材から形成されていることから、地上に突出した中間部等からも大きな音を発するため、円筒状部2bの下方に鋼管杭Ｙを覆うように防音シート６を垂下させるように設ければ、鋼管杭Ｙの中間部等から響く大きな音も確実に防止でき、より一層騒音防止効果が向上して好ましいのである。
【符号の説明】
【００３０】
Ｘ  油圧ハンマ
Xa  先端部分
Ｙ  鋼管杭
Ya  上端部
Yb  側面
１  上面
1a  開口部
２  下面
2a  開口部
2b  円筒状部
３  側面
４  吸音材
５  ゴム板材
６  防音シート
【図１】
2015224527.tif 000003
【図２】
2015224527.tif 000004
【図３】
2015224527.tif 000005
【図４】
2015224527.tif 000006